(57)【要約】【課題】太陽光パネルで発電される電力を蓄電し、蓄電した電力を負荷に供給するバッテリの劣化状態を検出するバッテリ監視システムを提供する。【解決手段】ローカル局には、太陽光パネル２１と、この太陽光パネルで発電された電力を充電するバッテリ３４と、バッテリに充電された電力が供給されて駆動する負荷２４が設けられ、更に、バッテリの劣化状態を検出する劣化判定回路３２及びＲＦＩＤタグ３１が設けられる。そして、バッテリが放電されているときに、バッテリの劣化状態を検出し、劣化状態検出信号をＲＦＩＤタグより送信する。その後、各ＲＦＩＤタグより送信された劣化状態検出信号は、監視装置１３の送信機４２よりデータセンタ１４に送信され、該データセンタでは、各バッテリの劣化状態をディスプレイ５４に表示する。これにより、データセンタに駐在する作業者は、各バッテリの劣化状態を認識することができる。【選択図】      図１
2011254651.tif 000002
【特許請求の範囲】
【請求項１】
ローカル局に設けられ、自然エネルギーを利用した発電装置で発電された電力を充電するバッテリの状態を、センタ局で監視するバッテリ監視システムであって、
前記ローカル局は、
前記バッテリの状態を検出するバッテリ状態検出手段と、
前記バッテリ状態検出手段にて検出されるバッテリ状態信号を、前記センタ局に送信する送信手段と、を有し、
前記センタ局は、
前記ローカル局より送信される前記バッテリ状態信号を受信する受信手段と、
受信した前記バッテリ状態信号に基づいて、前記バッテリの状態を報知する報知手段と、
を備えたことを特徴とするバッテリ監視システム。
【請求項２】
前記ローカル局は、複数のバッテリを備え、且つ、前記バッテリ状態検出手段は前記各バッテリ毎に設けられ、更に、
前記各バッテリ毎に設けられ、各バッテリを識別するためのＩＤを設定すると共に、前記バッテリ状態検出手段で検出されたバッテリ状態信号を送信する第１通信部と、
前記各第１通信部より送信されるバッテリ状態信号を受信する第２通信部と、を有し、
前記送信手段は、前記第２通信部で受信した各バッテリ状態信号を送信し、
前記報知手段は、
前記受信手段で受信される前記バッテリ状態信号のＩＤに基づき、前記各バッテリのＩＤを特定してバッテリの状態を報知することを特徴とする請求項１に記載のバッテリ監視システム。
【請求項３】
前記ローカル局は、時計回路を更に備え、前記送信手段は予め設定された時刻に、前記バッテリ状態信号を送信することを特徴とする請求項１または請求項２のいずれかに記載のバッテリ監視システム。
【請求項４】
前記第２通信部は、前記各第１通信部に対して、任意のタイミングで検出開始要求信号を送信し、前記各第１通信部は、前記検出開始要求信号を受信した場合に、前記バッテリ状態信号を送信することを特徴とする請求項１または請求項２のいずれかに記載のバッテリ監視システム。
【請求項５】
前記バッテリ状態検出手段で検出される前記バッテリの状態は、バッテリの劣化状態を含み、前記送信手段は、前記バッテリが劣化していると判定されたバッテリが存在する場合にのみ、前記バッテリ状態信号を送信することを特徴とする請求項１または請求項２のいずれかに記載のバッテリ監視システム。
【請求項６】
前記バッテリ状態検出手段は、前記バッテリに放電電流が流れているか否かを検出する機能を備え、バッテリに放電電流が流れている場合に、前記バッテリの状態を検出することを特徴とする請求項１〜請求項５のいずれか１項に記載のバッテリ監視システム。
【請求項７】
前記バッテリの状態は、バッテリに流れる電流、バッテリの出力電圧、バッテリの内部抵抗、バッテリ温度、及びバッテリの劣化状態のうちの少なくとも１つであることを特徴とする請求項１〜請求項６のいずれかに記載のバッテリ監視システム。
【請求項８】
前記発電装置は、太陽光パネルであることを特徴とする請求項１〜請求項７のいずれか１項に記載のバッテリ監視システム。
【発明の詳細な説明】
【技術分野】
【０００１】
本発明は、太陽光パネル等の自然エネルギーを利用した発電装置で発電された電力を充電し、充電した電力を負荷に供給するバッテリの、充電状態を監視するバッテリ監視システムに関する。
【背景技術】
【０００２】
近年、屋外用照明、電子看板、監視カメラ等の、主として屋外に設置される電気機器を太陽光パネル等の自然エネルギーを利用して作動させる装置が多く用いられている。例えば、電子看板の近傍に太陽光パネル及びバッテリからなる電源ユニットを設置し、昼間の太陽光が照射されている時間帯に、太陽光パネルで発電された電力によりバッテリに電力を充電する。また、夜間にはバッテリに充電された電力を電子看板に供給して電子看板を明灯させる。このような電源ユニットでは、自然エネルギーを利用してバッテリを充電しており、電力を購入する必要がないので、コストを削減でき且つ環境負荷が軽減されるという利点がある。
【０００３】
ここで、バッテリは使用頻度、使用条件、及び経年変化により劣化し、バッテリが劣化した場合には太陽光パネルで発電された電力を効率良く蓄電することができず、また、所定の電圧を出力できず、電子看板等の電気機器を正常に作動させることができなくなる場合がある。従って、バッテリに劣化の兆候が確認された場合にはいち早くこれを検出して、バッテリをメンテナンスするか、或いは交換する必要がある。
【０００４】
そこで、例えば特許文献１には、通信回線を介して顧客から業者にバッテリの検査依頼信号が送信された場合に、業者がオンラインで顧客側の電源装置に設けられたバッテリの内部抵抗、環境温度を測定し、バッテリの交換の要否を判断する構成としている。
【先行技術文献】
【特許文献】
【０００５】
【特許文献１】特開２００３−１２３８４７号公報
【発明の概要】
【発明が解決しようとする課題】
【０００６】
しかしながら、上述した特許文献１に開示された従来例では、商用電源の予備電源として設置するバッテリの状態をオンラインで検出する構成であり、自然エネルギーを利用して発電される電力を蓄電するバッテリの状態を検出するものではない。
【０００７】
本発明は、このような従来の課題を解決するためになされたものであり、その目的とするところは、太陽光パネル等の自然エネルギーを利用した発電機で充電された電力を蓄電して、負荷に駆動用の電力を供給するためのバッテリの状態を検出し、作業者に報知するバッテリ監視システムを提供することにある。
【課題を解決するための手段】
【０００８】
上記目的を達成するため、本願請求項１に記載の発明は、ローカル局に設けられ、自然エネルギーを利用した発電装置で発電された電力を充電するバッテリの状態を、センタ局で監視するバッテリ監視システムであって、前記ローカル局は、前記バッテリの状態を検出するバッテリ状態検出手段（例えば、検出器３３）と、前記バッテリ状態検出手段にて検出されるバッテリ状態信号を、前記センタ局に送信する送信手段（例えば、送信機４２）と、を有し、前記センタ局は、前記ローカル局より送信される前記バッテリ状態信号を受信する受信手段（例えば、受信機５１）と、受信した前記バッテリ状態信号に基づいて、前記バッテリの状態を報知する報知手段（例えば、ディスプレイ５４）と、を備えたことを特徴とする。
【０００９】
請求項２に記載の発明は、前記ローカル局は、複数のバッテリを備え、且つ、前記バッテリ状態検出手段は前記各バッテリ毎に設けられ、更に、前記各バッテリ毎に設けられ、各バッテリを識別するためのＩＤを設定すると共に、前記バッテリ状態検出手段で検出されたバッテリ状態信号を送信する第１通信部（例えば、ＲＦＩＤタグ３１、ＲＦＩＤユニット８１）と、前記各第１通信部より送信されるバッテリ状態信号を受信する第２通信部（例えば、ＲＦＩＤ受信機４１、ＲＦＩＤ送受信機７１）と、を有し、前記送信手段は、前記第２通信部で受信した各バッテリ状態信号を送信し、前記報知手段は、前記受信手段で受信される前記バッテリ状態信号のＩＤに基づき、前記各バッテリのＩＤを特定してバッテリの状態を報知することを特徴とする。
【００１０】
請求項３に記載の発明は、前記ローカル局は、時計回路を更に備え、前記送信手段は予め設定された時刻に、前記バッテリ状態信号を送信することを特徴とする。
【００１１】
請求項４に記載の発明は、前記第２通信部は、前記各第１通信部に対して、任意のタイミングで検出開始要求信号を送信し、前記各第１通信部は、前記検出開始要求信号を受信した場合に、前記バッテリ状態信号を送信することを特徴とする。
【００１２】
請求項５に記載の発明は、前記バッテリ状態検出手段で検出される前記バッテリの状態は、バッテリの劣化状態を含み、前記送信手段は、前記バッテリが劣化していると判定されたバッテリが存在する場合にのみ、前記バッテリ状態信号を送信することを特徴とする。
【００１３】
請求項６に記載の発明は、前記バッテリ状態検出手段は、前記バッテリに放電電流が流れているか否かを検出する機能を備え、バッテリに放電電流が流れている場合に、前記バッテリの状態を検出することを特徴とする。
【００１４】
請求項７に記載の発明は、前記バッテリの状態は、バッテリに流れる電流、バッテリの出力電圧、バッテリの内部抵抗、バッテリ温度、及びバッテリの劣化状態のうちの少なくとも１つであることを特徴とする。
【００１５】
請求項８に記載の発明は、前記発電装置は、太陽光パネルであることを特徴とする。
【発明の効果】
【００１６】
本発明に係るバッテリ監視システムでは、自然エネルギーを利用した発電装置で発電した電力を蓄積するバッテリの状態（例えば、劣化状態）を迅速、且つ高精度に検出することができる。
【図面の簡単な説明】
【００１７】
【図１】本発明の第１実施形態に係るバッテリ監視システムの、ローカル局の構成を示すブロック図である。
【図２】本発明の第１〜第３実施形態に係るバッテリ監視システムの、センタ局の構成を示すブロック図である。
【図３】本発明の第１実施形態に係るバッテリ監視システムにおける、バッテリ監視処理の操作手順を示すフローチャートである。
【図４】本発明の第２実施形態に係るバッテリ監視システムの、ローカル局の構成を示すブロック図である。
【図５】本発明の第２実施形態に係るバッテリ監視システムにおける、バッテリ監視処理の操作手順を示すフローチャートである。
【図６】本発明の第３実施形態に係るバッテリ監視システムの、ローカル局の構成を示すブロック図である。
【図７】本発明の第３実施形態に係るバッテリ監視システムにおける、バッテリ監視処理の操作手順を示すフローチャートである。
【図８】本発明の第４実施形態に係るバッテリ監視システムの、ローカル局の構成を示すブロック図である。
【図９】本発明の第４実施形態に係るバッテリ監視システムにおける、バッテリ監視処理の操作手順を示すフローチャートである。
【図１０】本発明の第５実施形態に係るバッテリ監視システムの、ローカル局の構成を示すブロック図である。
【図１１】本発明の第５実施形態に係るバッテリ監視システムにおける、バッテリ監視処理の操作手順を示すフローチャートである。
【発明を実施するための形態】
【００１８】
以下、本発明の実施形態を図面に基づいて説明する。
【００１９】
［第１実施形態の説明］
図１、図２は、本発明の第１実施形態に係るバッテリ監視システムの構成を示すブロック図であり、図１はローカル局の構成を示すブロック図、図２はローカル局と無線で通信可能なセンタ局の構成を示すブロック図である。そして、図１、図２に示すようにこのバッテリ監視システムは、ローカル局の電源装置１２に設けられた各バッテリ３４の劣化状態を示す劣化状態検出信号をデータセンタ１４（センタ局）に送信し、データセンタ１４にて、劣化しているバッテリのＩＤを特定して作業者に通知するシステムである。
【００２０】
図１に示すように、ローカル局は、負荷回路１１と、複数のバッテリ３４を備えて負荷回路１１に電力を供給する電源装置１２と、各バッテリ３４の劣化状態を監視し、劣化状態検出信号を送信する監視装置１３と、を備えている。
【００２１】
負荷回路１１は、例えば屋外に設置される電子看板等の負荷２４を駆動する回路であり、太陽光を受光して直流電力を生成する太陽光パネル２１と、充放電制御回路２２、及びインバータ回路２３を備えている。
【００２２】
充放電制御回路２２は、太陽光パネル２１で発電された電力を電源装置１２に設けられた各バッテリ３４に充電し、且つ各バッテリ３４に充電された電力をインバータ回路２３に出力する制御を実行する。即ち、該充放電制御回路２２は、タイマ回路（図示省略）を備え、予め設定した放電の時間帯（例えば、夜間の時間帯）には、バッテリ３４より出力される電力をインバータ回路２３に出力し、充電の時間帯（例えば、昼間の所定の時間帯）には、太陽光パネル２１で発電された電力をバッテリ３４に充電する制御を行う。なお、上記した充電の時間帯において、太陽光パネル２１で発電された電力をバッテリ３４に出力すると共に、この発電電力をインバータ回路２３にも出力し、負荷２４に供給するようにしても良い。
【００２３】
インバータ回路２３は、バッテリ３４より出力される直流電力を、所定周波数、所定レベルの交流電力に変換して負荷２４に出力する。
【００２４】
また、図１に示す電源装置１２は、複数（例えば、１００個）のバッテリ３４を備えている。各バッテリ３４は、複数個（例えば、５個）が直列接続され、且つこの直列接続が複数列（例えば、２０列）で並列接続されている。また、各バッテリ３４毎に該バッテリ３４の状態を検出する検出器３３が設けられ、該検出器３３で検出されるバッテリ状態のデータは、各列毎に設けられる劣化判定回路３２に出力される。ここで、「バッテリの状態」とは、バッテリ３４の出力電圧、バッテリ３４に流れる電流、バッテリ３４の内部抵抗、バッテリ３４の温度、及びバッテリの劣化状態のうちの少なくとも１つである。
【００２５】
劣化判定回路３２は、各バッテリ３４に設けられた検出器３３で検出されるバッテリ状態のデータに基づいて、バッテリの劣化状態を検出する。例えば、バッテリ３４の出力電圧と、バッテリ３４に流れる電流から内部抵抗を算出し、更に、この内部抵抗を温度補正してバッテリ３４の劣化状態を検出する。この劣化状態は、一例として「良好」「劣化注意」「要交換」の３段階に区別して検出することができる。そして、検出した劣化状態を、劣化状態検出信号としてＲＦＩＤ（Radio Frequency IDentification）タグ３１に転送する。なお、バッテリ３４の劣化判定はこの手法に限定されるものではなく、他の手法を採用することも可能である。
【００２６】
ＲＦＩＤタグ３１（第１通信部）は、劣化判定回路３２による判定結果である劣化状態検出信号に各バッテリ３４を識別するためのＩＤを付して、監視装置１３に送信する。
【００２７】
監視装置１３は、電源装置１２に設けられた各ＲＦＩＤタグ３１より送信された劣化状態検出信号を受信するＲＦＩＤ受信機４１（第２通信部）と、時計回路４４と、ＲＦＩＤ受信機４１で受信された劣化状態検出信号を記憶し、所定の時刻となった際に（例えば、１５分毎に設定した時刻となった際に）各バッテリ３４のＩＤが付された劣化状態検出信号を出力するコントローラ４３と、該コントローラ４３より出力された劣化状態検出信号を所定の通信フォーマットで送信する送信機４２（送信手段）を備えている。
【００２８】
また、図２に示すデータセンタ１４は、受信機５１と、コントローラ５２と、ディスプレイ５４、及び警報器５３を備えている。そして、第１実施形態及び後述する第２，第３実施形態では、監視装置１３より送信された劣化状態検出信号を受信機５１で受信し、各バッテリ３４のＩＤとこのバッテリ３４の劣化状態を照合し、各バッテリ３４の劣化状態をディスプレイ５４に表示して作業者に報知する。これにより、データセンタ１４に駐在する作業者は、遠隔地に設置された電源装置１２内に設けられているバッテリ３４の劣化状態をリアルタイム（例えば、１５分毎の更新周期）で認識することが可能となる。また、劣化の度合いが高く「要交換」と判断されたバッテリ３４が存在する場合には、警報器５３より警報を発して作業者に注意を喚起する。
【００２９】
また、後述する第４，第５実施形態では、上記の機能に加えて、監視装置より送信されるバッテリ状態信号に基づいて、各バッテリの状態（例えば、バッテリに流れる電流、バッテリの出力電圧、バッテリの内部抵抗、バッテリの温度等）を示す情報をディスプレイ５４に表示する。
【００３０】
次に、上述のように構成された第１実施形態に係るバッテリ監視システムの処理手順を、図３に示すフローチャートを参照して説明する。
【００３１】
初めに、負荷回路１１の充放電制御回路２２は、負荷の駆動開始のタイミングであるか否かを確認する（ステップＳ１１）。この処理では、バッテリ３４に充電された電力を負荷２４に供給して該負荷２４を駆動させる時間帯であるか否かを確認する。
【００３２】
そして、負荷２４を駆動する時間帯であると判断された場合には（ステップＳ１１でＹＥＳ）、電源装置１２内に設けられる各バッテリ３４の放電を開始する（ステップＳ１２）。その結果、各バッテリ３４より出力される電力がインバータ回路２３に出力され、該インバータ回路２３で所望周波数で所望レベルの交流電力に変換されて負荷２４に出力される。従って、電子看板（負荷２４）を明灯させることができる。
【００３３】
また、電源装置１２の各バッテリ３４毎に設けられた検出器３３は、各バッテリ３４の放電電流を計測する（ステップＳ１３）。そして、放電電流が検出されると劣化判定回路３２は、バッテリ３４の劣化状態の判定を開始する（ステップＳ１４）。この処理では、上述したように、検出器３３で検出されるバッテリ３４の電流値、電圧値、及び周囲温度を取得し、これらのデータに基づいて、所定の演算手法を用いてバッテリ３４の劣化状態を検出する。
【００３４】
更に、上記の処理で検出された劣化状態検出信号をＲＦＩＤタグ３１に転送する（ステップＳ１５）。ＲＦＩＤタグ３１は、この劣化状態検出信号に各バッテリ３４を識別するためのＩＤを付して、無線通信により監視装置１３に送信する（ステップＳ１６）。
【００３５】
その後、監視装置１３のＲＦＩＤ受信機４１は、各ＲＦＩＤタグ３１より送信された劣化状態検出信号を受信して内部メモリ（図示省略）内に記憶し（ステップＳ１７）、更に、全てのバッテリ３４に対応するＲＦＩＤタグ３１より劣化状態検出信号が受信されたか否かを判定する（ステップＳ１８）。例えば、電源装置１２内に１００個のバッテリ３４が設置されている場合には、１００個の各バッテリ３４に対応するＩＤの劣化状態検出信号が受信されているか否かを確認する。
【００３６】
そして、全てのバッテリ３４についての劣化状態検出信号が受信されたと判断された場合には（ステップＳ１８でＹＥＳ）、時計回路４４で認識される現在時刻に基づき、所定の時刻となった場合に、内部メモリに記憶した全ての劣化状態検出信号を送信機４２に転送する。この劣化状態検出信号は、該送信機４２より送信される（ステップＳ１９）。
【００３７】
次いで、データセンタ１４の受信機５１は、監視装置１３より送信された劣化状態検出信号を受信し（ステップＳ２０）、この劣化状態検出信号と、この劣化状態検出信号に対応するＩＤに基づいて、各バッテリ３４毎の劣化状態をディスプレイ５４に表示する（ステップＳ２１）。従って、データセンタ１４に駐在する作業者は、ディスプレイ５４に表示された劣化状態のデータを見ることにより、複数（例えば、１００個）のバッテリ３４のうち劣化していると判断されたバッテリを認識することができる。
【００３８】
また、データセンタ１４のコントローラ５２は、劣化の度合いが大きく「要交換」と判断されたバッテリ３４が存在するか否かを判定し（ステップＳ２２）、交換が必要なバッテリ３４が存在する場合には、警報器５３を作動させて音声、ランプの点灯等により交換が必要なバッテリが存在することを作業者に知らせる（ステップＳ２３）。こうして、電源装置１２内に設けられる各バッテリ３４の劣化状態をリアルタイムで検出し、劣化の度合いが大きいと判断されたバッテリが存在する場合には、データセンタ１４で監視している作業者にいち早く知らせることが可能となる。
【００３９】
一方、ステップＳ１１の処理で、負荷２４を駆動するタイミングでないと判断された場合には、太陽光パネル２１により発電された電力を各バッテリ３４に充電する処理を行う（ステップＳ２４）。
【００４０】
このようにして、本発明の第１実施形態に係るバッテリ監視システムでは、太陽光パネル２１等の自然エネルギーを利用した発電装置で発電された電力を複数のバッテリ３４に充電し、且つ、バッテリ３４に充電した電力を負荷２４に供給して該負荷２４を駆動する場合に、各バッテリ３４の劣化状態を、負荷２４（例えば、電子看板）の設置場所から離れた場所であるデータセンタ１４で監視する。そして、劣化の度合いが大きいバッテリ３４が存在する場合には、リアルタイムで劣化したバッテリ３４のＩＤを特定して作業者に通知することができるので、作業者はいち早くバッテリ３４の交換作業、或いはメンテナンス作業に取りかかることができ、バッテリ３４が劣化して負荷２４を駆動できなくなるという従来の問題を解決することができる。
【００４１】
また、各バッテリ３４に取り付けられた検出器３３にてバッテリ３４の放電電流が検出された場合に、劣化判定回路３２がバッテリ３４の劣化状態を検出するので、太陽光パネル２１で発電されている電力がバッテリ３４に充電されている時間帯に劣化状態を検出することを回避できる。つまり、太陽光パネル２１によるバッテリ３４の充電が行われていないときに、各バッテリ３４の劣化状態を検出するので、バッテリ３４の劣化状態を高精度に検出することができ、且つ誤検出を防止できる。
【００４２】
また、データセンタ１４では、劣化の度合いが大きいと判断されたバッテリ３４が存在する場合には、警報器５３により警報を発して作業者に通知するので、劣化したバッテリ３４が存在することを確実に作業者に知らせることができる。
【００４３】
ここで、上述した第１実施形態では、監視装置１３により、各バッテリ３４の劣化状態検出信号を予め設定したタイミングでデータセンタ１４に送信する構成としたが、監視装置１３のコントローラ４３により各バッテリ３４の劣化状態を監視し、少なくとも一つのバッテリ３４が劣化していると判断された場合に、各バッテリ３４の劣化状態検出信号をデータセンタ１４に送信する構成とすることも可能である。このような構成とすることにより、監視装置１３とデータセンタ１４との間の通信回数を低減することが可能となり、通信負荷を軽減することができる。
【００４４】
［第２実施形態の説明］
次に、本発明の第２実施形態について説明する。図４は、第２実施形態に係るバッテリ監視システムの、ローカル局の構成を示すブロック図である。なお、センタ局に設けられるデータセンタ１４は、前述した第１実施形態で示した図２と同一の構成であるので、図示を省略する。第２実施形態に係るバッテリ監視システムは、前述した第１実施形態と同様に、ローカル局の電源装置１２ａに設けられた各バッテリ６４の劣化状態を示す劣化状態検出信号をデータセンタ１４（センタ局）に送信し、データセンタ１４にて劣化しているバッテリ６４のＩＤを特定して作業者に通知するシステムである。これに加えて、第２実施形態では、監視装置１３ａより任意のタイミングでバッテリ状態の検出開始要求信号を送信し、電源装置１２ａでは、この検出開始要求信号が受信された際に、各バッテリ６４の劣化状態を検出する構成としている。
【００４５】
以下、第２実施形態に係るバッテリ監視システムの構成について説明する。図４に示すように、ローカル局は、負荷回路１１と、複数のバッテリ６４を備え負荷回路１１に電力を供給する電源装置１２ａと、各バッテリ６４の劣化状態を監視し、劣化状態検出信号を送信する監視装置１３ａと、を備えている。
【００４６】
負荷回路１１は、前述した第１実施形態と同様に、例えば屋外に設置される電子看板等の負荷２４を駆動する回路であり、太陽光を受光して直流電力を生成する太陽光パネル２１と、充放電制御回路２２、及びインバータ回路２３を備えている。
【００４７】
また、電源装置１２ａは、複数（例えば、１００個）のバッテリ６４を備えている。各バッテリ６４は、前述した第１実施形態と同様に、複数個（例えば、５個）が直列接続され、且つこの直列接続が複数列（例えば、２０列）で並列接続されている。また、各バッテリ６４毎に該バッテリ６４の状態を検出する検出器６３が設けられ、該検出器６３で検出されるバッテリ状態のデータは、各列毎に設けられる劣化判定回路６２に出力される。
【００４８】
劣化判定回路６２は、各バッテリ６４に設けられた検出器６３で検出されるバッテリ状態のデータに基づいて、バッテリの劣化状態を検出する。例えば、バッテリ６４の出力電圧と、バッテリ６４に流れる電流から内部抵抗を算出し、更に、この内部抵抗を温度補正してバッテリ６４の劣化状態を検出する。この劣化状態は、第１実施形態と同様に「良好」「劣化注意」「要交換」の３段階に区別して検出することができる。そして、検出した劣化状態を、劣化状態検出信号としてＲＦＩＤタグ６１に転送する。
【００４９】
ＲＦＩＤタグ６１（第１通信部）は、劣化判定回路６２により出力される劣化状態検出信号にＩＤを付して、監視装置１３ａに送信する機能を備えると共に、監視装置１３ａより送信される検出開始要求信号を受信する機能を備える。
【００５０】
監視装置１３ａは、電源装置１２ａに設けられた各ＲＦＩＤタグ６１より送信された劣化状態検出信号を受信し、且つ各ＲＦＩＤタグ６１に向けてバッテリ状態の検出開始要求信号を送信するＲＦＩＤ送受信機７１（第２通信部）と、時計回路７４と、ＲＦＩＤ送受信機７１で受信された劣化状態検出信号を記憶し、所定の時刻となった際に（例えば、１５分毎に設定した時刻となった際に）各バッテリ６４に対する劣化状態検出信号を出力するコントローラ７３と、該コントローラ７３より出力された劣化状態検出信号を所定の通信フォーマットで送信する送信機７２を備えている。
【００５１】
次に、上述のように構成された第２実施形態に係るバッテリ監視システムの動作を、図５に示すフローチャートを参照して説明する。初めに、監視装置１３ａのコントローラ７３は、内部に設けられる夜間タイマ（図示省略）を作動させ（ステップＳ３１）、任意のタイミングでポーリングを開始する（ステップＳ３２）。
【００５２】
そして、ＲＦＩＤ送受信機７１と、各ＲＦＩＤタグ６１との間で通信が可能となった場合に、ＲＦＩＤ送受信機７１は各ＲＦＩＤタグ６１にバッテリ６４の劣化状態の検出開始要求信号を送信する（ステップＳ３３）。
【００５３】
その後、電源装置１２ａの各バッテリ６４に対応する劣化判定回路６２では、検出開始要求信号を受けて、各バッテリ６４の劣化状態を検出し（ステップＳ３４）、劣化状態検出信号をＲＦＩＤタグ６１に転送する（ステップＳ３５）。次いで、該ＲＦＩＤタグ６１は、転送された劣化状態検出信号を、無線通信にて監視装置１３ａのＲＦＩＤ送受信機７１に送信する（ステップＳ３６）。
【００５４】
そして、監視装置１３ａのＲＦＩＤ送受信機７１では、各ＲＦＩＤタグ６１より送信された劣化状態検出信号を受信して内部メモリ（図示省略）内に記憶し（ステップＳ３７）、更に、全てのバッテリ６４に対応するＲＦＩＤタグ６１からの劣化状態検出信号が受信されたか否かを判断する（ステップＳ３８）。例えば、電源装置１２ａ内に１００個のバッテリ６４が設置されている場合には、１００個の各バッテリ６４に対応するＩＤの劣化状態検出信号が受信されているか否かを確認する。
【００５５】
そして、全てのバッテリ６４についての劣化状態検出信号が受信されたと判断された場合には（ステップＳ３８でＹＥＳ）、時計回路４４で認識される現在時刻に基づき、所定の時刻となった場合に、内部メモリに記憶した全ての劣化状態検出信号を送信機７２に転送する。この劣化状態検出信号は、該送信機７２より送信されることになる（ステップＳ３９）。
【００５６】
次いで、データセンタ１４の受信機５１は、監視装置１３ａより送信された劣化状態検出信号を受信し（ステップＳ４０）、この劣化状態検出信号とこの劣化状態検出信号に対応するＩＤに基づいて、各バッテリ６４のＩＤ毎の劣化状態をディスプレイ５４に表示する（ステップＳ４１）。従って、データセンタ１４に駐在する作業者は、ディスプレイ５４に表示された劣化状態のデータを見ることにより、複数のバッテリ６４のうち劣化していると判断されたバッテリを認識することができる。
【００５７】
また、データセンタ１４のコントローラ５２は、劣化の度合いが大きく「要交換」と判断されたバッテリ６４が存在するか否かを判定し（ステップＳ４２）、交換が必要なバッテリ６４が存在する場合には、警報器５３を作動させて音声、ランプの点灯等により交換が必要なバッテリが存在することを作業者に知らせる（ステップＳ４３）。こうして、電源装置１２ａ内に設けられる各バッテリ６４の劣化状態をリアルタイムで検出し、劣化の度合いが大きいと判断されたバッテリが存在する場合には、データセンタ１４で監視している作業者にいち早く知らせることが可能となる。
【００５８】
このようにして、第２実施形態に係るバッテリ監視システムでは、監視装置１３ａからバッテリ劣化状態の検出開始要求信号が出力された際に、劣化判定回路６２による各バッテリ６４の劣化状態の検出が行われる。従って、検出開始要求信号に対して、全てのＲＦＩＤタグ６１より、対応するバッテリ６４の劣化状態検出信号が送信されない場合には、検出開始要求信号を繰り返して送信することにより、全てのバッテリ６４の劣化状態検出信号を得ることができるので、予め設定した時刻において、全てのバッテリ６４の劣化状態を確実に検出することができ、バッテリ劣化の検出精度をより一層向上させることができる。
【００５９】
［第３実施形態の説明］
次に、本発明の第３実施形態について説明する。図６は、第３実施形態に係るバッテリ監視システムの、ローカル局の構成を示すブロック図である。なお、センタ局に設けられるデータセンタ１４は、前述の第１、第２実施形態で示した図２と同一の構成であるので、図示を省略する。第３実施形態に係るバッテリ監視システムは、ローカル局の電源装置１２ｂに設けられた１つのバッテリ８７の劣化状態を示す劣化状態検出信号をデータセンタ１４（センタ局）に送信し、バッテリ８７が劣化している場合には、データセンタ１４に駐在する作業者に通知するシステムである。
【００６０】
以下、第３実施形態に係るバッテリ監視システムの構成について詳細に説明する。電源装置１２ｂは、太陽光パネル２１で発電した電力を充電すると共に、負荷２４を駆動させる場合には充電されている電力を負荷２４に供給するバッテリ８７を備えている。更に該バッテリ８７のバッテリ状態を検出する検出器８６、及びバッテリ８７に流れる電流、バッテリ８７の電圧、及び周囲温度に基づいて該バッテリ８７の劣化状態を検出する劣化判定回路８５を備えている。そして、劣化判定回路８５は、有線または無線にて監視装置１３ｂのコントローラ９６に接続されている。
【００６１】
監視装置１３ｂは、時計回路９７と、劣化判定回路８５より送信される劣化状態検出信号を一旦記憶し、所定の時刻に記憶した劣化状態検出信号を読み出して送信機９５に転送するコントローラ９６と、転送された劣化状態検出信号を送信する送信機９５を備えている。
【００６２】
次に、上述のように構成された第３実施形態に係るバッテリ監視システムの処理手順を、図７に示すフローチャートを参照して説明する。
【００６３】
初めに、負荷回路１１の充放電制御回路２２は、負荷の駆動開始のタイミングであるか否かを確認する（ステップＳ５１）。この処理では、バッテリ８７に充電された電力を負荷２４に供給して該負荷２４を駆動させる時間帯であるか否かを確認する。
【００６４】
そして、負荷２４を駆動する時間帯であると判断された場合には（ステップＳ５１でＹＥＳ）、電源装置１２ｂ内に設けられるバッテリ８７の放電を開始する（ステップＳ５２）。その結果、バッテリ８７より出力される電力がインバータ回路２３に出力され、該インバータ回路２３で所望周波数で所望レベルの交流電力に変換されて負荷２４に出力される。従って、電子看板（負荷２４）を明灯させることができる。
【００６５】
また、電源装置１２ｂのバッテリ８７に設けられた検出器８６は、該バッテリ８７の放電電流を計測する（ステップＳ５３）。そして、放電電流が検出されると劣化判定回路８５は、バッテリ８７の劣化状態の判定を開始する（ステップＳ５４）。この処理では、上述したように、バッテリ８７に流れる電流値、バッテリ８７の電圧値、及び周囲温度に基づいて、所定の演算手法を用いてバッテリ８７の劣化状態を検出し、「良好」「劣化注意」「要交換」の３段階に区分した検出結果を決める。
【００６６】
更に、検出結果である劣化状態検出信号を、監視装置１３ｂのコントローラ９６に出力する（ステップＳ５５）。
【００６７】
その後、監視装置１３ｂの送信機９５は、劣化判定回路８５より出力された劣化状態検出信号を受信して内部メモリ（図示省略）内に記憶し、更に、時計回路９７による現在時刻に基づき、所定の時刻となった場合に、内部メモリに記憶した劣化状態検出信号を送信機９５に転送する。この劣化状態検出信号は、該送信機９５より送信されることになる（ステップＳ５６）。
【００６８】
次いで、データセンタ１４の受信機５１は、監視装置１３ｂより送信された劣化状態検出信号を受信し（ステップＳ５７）、この劣化状態検出信号に基づいて、バッテリ８７の劣化状態をディスプレイ５４に表示する（ステップＳ５８）。従って、データセンタ１４に駐在する作業者は、ディスプレイ５４に表示された劣化状態のデータを見ることにより、バッテリ８７が劣化しているか否かを認識することができる。
【００６９】
また、データセンタ１４のコントローラ５２は、バッテリ８７の劣化の度合いが大きいと判断された場合に（ステップＳ５９でＹＥＳ）、警報器５３を作動させて音声、ランプの点灯等により劣化の度合いが大きいバッテリが存在することを作業者に知らせる（ステップＳ６０）。こうして、電源装置１２ｂ内に設けられるバッテリ８７の劣化状態をリアルタイムで検出し、該バッテリ８７が劣化していると判断された場合には、データセンタ１４で監視している作業者にいち早く知らせることが可能となる。
【００７０】
一方、ステップＳ５１の処理で、負荷を駆動するタイミングでないと判断された場合には、太陽光パネル２１により発電された電力をバッテリ８７に充電する処理を行う（ステップＳ６１）。
【００７１】
このようにして、本発明の第３実施形態に係るバッテリ監視システムでは、太陽光パネル２１等の自然エネルギーを利用した発電装置で発電された電力を１つのバッテリ８７に充電し、且つ、バッテリ８７に充電した電力を負荷２４に供給して該負荷２４を駆動する場合に、バッテリ８７の劣化状態を、負荷２４（例えば、電子看板）の設置場所から離れた場所であるデータセンタ１４で監視する。そして、バッテリ８７の劣化の度合いが大きい場合には、リアルタイムでバッテリ８７が劣化していることを作業者に通知することができる。このため、いち早くバッテリ８７の交換作業、或いはメンテナンス作業に取りかかることができ、バッテリ８７が劣化して負荷２４を駆動できないという従来の問題を解決することができる。
【００７２】
また、バッテリ８７に取り付けられた検出器８６で、放電電流が検出された場合に、劣化判定回路８５が劣化状態を検出するので、太陽光パネル２１で発電されている電力がバッテリ８７に充電されている時間帯に劣化状態を検出することを回避できる。つまり、太陽光パネル２１によるバッテリ８７の充電が行われていないときに、該バッテリ８７の劣化状態を検出するので、バッテリ８７の劣化状態を高精度に検出することができる。
【００７３】
また、データセンタ１４では、バッテリ８７が劣化していると判断された場合には、警報器５３により警報を発して作業者に通知するので、作業者はバッテリ８７が劣化したことを迅速且つ確実に認識することができる。
【００７４】
［第４実施形態の説明］
次に、本発明の第４実施形態について説明する。図８は、第４実施形態に係るバッテリ監視システムの、ローカル局の構成を示すブロック図である。なお、センタ局に設けられるデータセンタ１４は、前述の第１〜第３実施形態で示した図２と同一の構成であるので、図示を省略する。第４実施形態に係るバッテリ監視システムは、ローカル局の電源装置１２ｃに設けられた各バッテリ８４の状態を示すバッテリ状態信号をデータセンタ１４（センタ局）に送信し、データセンタ１４にて、各バッテリのＩＤを特定して、そのバッテリ状態を作業者に通知するシステムである。バッテリ状態は、例えば、バッテリ８４の出力電圧、バッテリ８４に流れる電流、バッテリ８４の内部抵抗、バッテリ８４の温度等である。
【００７５】
図８に示すように、ローカル局は、負荷回路１１と、複数のバッテリ８４を備えて負荷回路１１に電力を供給する電源装置１２ｃと、各バッテリ８４の状態を監視し、バッテリ状態信号を送信する監視装置１３ｃと、を備えている。
【００７６】
負荷回路１１は、前述した第１〜第３実施形態と同様に、太陽光パネル２１、充放電制御回路２２、及びインバータ回路２３を備えている。
【００７７】
また、図８に示す電源装置１２ｃは、複数（例えば、１００個）のバッテリ８４を備えている。各バッテリ８４は、複数個（例えば、５個）が直列接続され、且つこの直列接続が複数列（例えば、２０列）で並列接続されている。また、各バッテリ８４毎に該バッテリ８４の状態を検出する検出器８３が設けられ、該検出器８３で検出されるバッテリの状態を示す信号（以下これを「バッテリ状態信号」と言う）は、各列毎に設けられるＲＦＩＤユニット８１に出力される。
【００７８】
ＲＦＩＤユニット８１は、検出器８３より出力される各バッテリ状態信号を取得し、このバッテリ状態信号に基づいてバッテリ８４の劣化状態を検出する。そして、バッテリ状態信号及び劣化状態検出信号に、各バッテリ８４を識別するためのＩＤを付して、監視装置１３ｃに送信する。
【００７９】
監視装置１３ｃは、電源装置１２ｃに設けられた各ＲＦＩＤユニット８１より送信された劣化状態検出信号を受信するＲＦＩＤ受信機４１（第２通信部）と、時計回路４４と、ＲＦＩＤ受信機４１で受信された劣化状態検出信号を記憶し、所定の時刻となった際に（例えば、１５分毎に設定した時刻となった際に）各バッテリ８４のＩＤが付された劣化状態検出信号及びバッテリ状態信号を出力するコントローラ４３と、該コントローラ４３より出力された劣化状態検出信号及びバッテリ状態信号を所定の通信フォーマットで送信する送信機４２（送信手段）を備えている。
【００８０】
また、図２に示すデータセンタ１４は、監視装置１３ｃより送信される劣化状態検出信号及びバッテリ状態信号に基づいて、各バッテリの状態を示す情報をディスプレイ５４に表示する。
【００８１】
次に、上述のように構成された第４実施形態に係るバッテリ監視システムの処理手順を、図９に示すフローチャートを参照して説明する。
【００８２】
初めに、負荷回路１１の充放電制御回路２２は、負荷の駆動開始のタイミングであるか否かを確認する（ステップＳ７１）。この処理では、バッテリ８４に充電された電力を負荷２４に供給して該負荷２４を駆動させる時間帯であるか否かを確認する。
【００８３】
そして、負荷２４を駆動する時間帯であると判断された場合には（ステップＳ７１でＹＥＳ）、電源装置１２ｃ内に設けられる各バッテリ８４の放電を開始する（ステップＳ７２）。その結果、各バッテリ８４より出力される電力がインバータ回路２３に出力され、該インバータ回路２３で所望周波数で所望レベルの交流電力に変換されて負荷２４に出力される。従って、電子看板（負荷２４）を明灯させることができる。
【００８４】
また、電源装置１２ｃの各バッテリ８４毎に設けられた検出器８３は、各バッテリ８４の状態を検出する。この処理では、各バッテリ８４に流れる電流、各バッテリ８４の出力電圧、各バッテリ８４の内部抵抗及び温度を検出する（ステップＳ７３）。そして、この検出結果として得られるバッテリ状態信号をＲＦＩＤユニット８１に転送する。
【００８５】
ＲＦＩＤユニット８１は、検出器８３より転送されたバッテリ状態信号に基づいて、バッテリ劣化の判定を開始する。この判定は、前述した第１実施形態と同様に、バッテリ８４の電流、電圧、及び温度に基づき、所定の演算手法を用いて該バッテリ８４が劣化しているか否かを、「良好」「劣化注意」「要交換」の３段階に区別し、この結果を劣化状態検出信号とする（ステップＳ７４）。
【００８６】
ＲＦＩＤユニット８１は、上記の処理で取得した劣化状態検出信号及びバッテリ状態信号に、各バッテリ８４を識別するためのＩＤを付して無線通信により監視装置１３に送信する（ステップＳ７５）。
【００８７】
その後、監視装置１３ｃのＲＦＩＤ受信機４１は、各ＲＦＩＤユニット８１より送信された劣化状態検出信号及びバッテリ状態信号を受信して内部メモリ（図示省略）内に記憶し（ステップＳ７６）、更に、全てのバッテリ８４に対応するＲＦＩＤユニット８１より劣化状態検出信号及びバッテリ状態信号が受信されたか否かを判定する（ステップＳ７７）。例えば、電源装置１２ｃ内に１００個のバッテリ８４が設置されている場合には、１００個の各バッテリ８４に対応するＩＤの劣化状態検出信号及びバッテリ状態信号が受信されているか否かを確認する。
【００８８】
そして、全てのバッテリ８４についての劣化状態検出信号及びバッテリ状態信号が受信されたと判断された場合には（ステップＳ７７でＹＥＳ）、時計回路４４で認識される現在時刻に基づき、所定の時刻となった場合に、内部メモリに記憶した全ての劣化状態検出信号及びバッテリ状態信号を送信機４２に転送する。この劣化状態検出信号及びバッテリ状態信号は、該送信機４２より送信される（ステップＳ７８）。
【００８９】
次いで、データセンタ１４の受信機５１は、監視装置１３ｃより送信された劣化状態検出信号及びバッテリ状態信号を受信し（ステップＳ７９）、受信した信号と、この信号に対応するＩＤに基づいて、各バッテリ８４毎の状態をディスプレイ５４に表示する（ステップＳ８０）。即ち、各バッテリ８４に流れる電流、各バッテリ８４の出力電圧、各バッテリ８４の内部抵抗及び温度、各バッテリ８４の劣化状態がディスプレイ５４に表示される。
【００９０】
従って、データセンタ１４に駐在する作業者は、ディスプレイ５４に表示された各バッテリ８４の状態のデータを見ることにより、複数（例えば、１００個）のバッテリ８４の状態、及び各バッテリ８４うち劣化していると判断されたバッテリを認識することができる。
【００９１】
また、データセンタ１４のコントローラ５２は、劣化の度合いが大きく「要交換」と判断されたバッテリ８４が存在するか否かを判定し（ステップＳ８１）、交換が必要なバッテリ８４が存在する場合には、警報器５３を作動させて音声、ランプの点灯等により交換が必要なバッテリが存在することを作業者に知らせる（ステップＳ８２）。こうして、電源装置１２ｃ内に設けられる各バッテリ８４の状態をリアルタイムで検出し、データセンタ１４で監視している作業者にいち早く知らせることが可能となる。
【００９２】
一方、ステップＳ７１の処理で、負荷２４を駆動するタイミングでないと判断された場合には、太陽光パネル２１により発電された電力を各バッテリ８４に充電する処理を行う（ステップＳ８３）。
【００９３】
このようにして、本発明の第４実施形態に係るバッテリ監視システムでは、太陽光パネル２１等の自然エネルギーを利用した発電装置で発電された電力を複数のバッテリ８４に充電し、且つ、バッテリ８４に充電した電力を負荷２４に供給して該負荷２４を駆動する場合に、各バッテリ８４の状態を、負荷２４（例えば、電子看板）の設置場所から離れた場所であるデータセンタ１４で監視する。従って、各バッテリ８４の状態（電流、電圧、内部抵抗、温度、劣化状態等）をデータセンタ１４に駐在する作業者に通知することができ、データセンタ１４にて各バッテリ８４の状態を集中して管理することができる。
【００９４】
また、劣化の度合いが大きいバッテリ８４が存在する場合には、リアルタイムで劣化したバッテリ３４のＩＤを特定して作業者に通知することができるので、いち早くバッテリ８４の交換作業、或いはメンテナンス作業に取りかかることができ、バッテリ８４が劣化して負荷２４を駆動できなくなるという従来の問題を解決することができる。
【００９５】
また、各バッテリ８４に取り付けられた検出器８３にてバッテリ８４の放電電流が検出された場合に、ＲＦＩＤユニット８１がバッテリ８４の劣化状態を検出するので、太陽光パネル２１で発電されている電力がバッテリ８４に充電されている時間帯に劣化状態を検出することを回避できる。つまり、太陽光パネル２１によるバッテリ８４の充電が行われていないときに、各バッテリ８４の劣化状態を検出するので、バッテリ８４の劣化状態を高精度に検出することができ、且つ誤検出を防止できる。
【００９６】
また、データセンタ１４では、劣化の度合いが大きいと判断されたバッテリ８４が存在する場合には、警報器５３により警報を発して作業者に通知するので、劣化したバッテリ８４が存在することを確実に作業者に知らせることができる。
【００９７】
ここで、第４実施形態では、監視装置１３ｃにより、各バッテリ８４の劣化状態検出信号を予め設定したタイミングでデータセンタ１４に送信する構成としたが、監視装置１３ｃのコントローラ４３により各バッテリ８４の劣化状態を監視し、少なくとも一つのバッテリ８４が劣化していると判断された場合に、各バッテリ８４の劣化状態検出信号をデータセンタ１４に送信する構成とすることも可能である。このような構成とすることにより、監視装置１３ｃとデータセンタ１４との間の通信回数を低減することが可能となり、通信負荷を軽減することができる。
【００９８】
［第５実施形態の説明］
次に、本発明の第５実施形態について説明する。図１０は、第５実施形態に係るバッテリ監視システムの、ローカル局の構成を示すブロック図である。なお、センタ局に設けられるデータセンタ１４は、前述した図２と同一の構成であるので、図示を省略する。第５実施形態に係るバッテリ監視システムは、前述した第４実施形態と同様に、ローカル局の電源装置１２ｄに設けられた各バッテリ９４の状態を示すバッテリ状態信号をデータセンタ１４（センタ局）に送信し、データセンタ１４にて、各バッテリのＩＤを特定して、そのバッテリ状態を作業者に通知するシステムである。
【００９９】
これに加えて、第５実施形態では、監視装置１３ｄより任意のタイミングでバッテリ状態の検出開始要求信号を送信し、電源装置１２ｄでは、この検出開始要求信号が受信された際に、各バッテリ９４の状態を検出する構成としている。
【０１００】
図１０に示すように、ローカル局は、負荷回路１１と、複数のバッテリ９４を備えて負荷回路１１に電力を供給する電源装置１２ｄと、各バッテリ９４の状態を監視し、バッテリ状態信号を送信する監視装置１３ｄと、を備えている。
【０１０１】
負荷回路１１は、前述した第１〜第４実施形態と同様に、太陽光パネル２１、充放電制御回路２２、及びインバータ回路２３を備えている。
【０１０２】
また、図１０に示す電源装置１２ｄは、複数（例えば、１００個）のバッテリ９４を備えている。各バッテリ９４は、複数個（例えば、５個）が直列接続され、且つこの直列接続が複数列（例えば、２０列）で並列接続されている。また、各バッテリ９４毎に該バッテリ９４の状態を検出する検出器９３が設けられ、該検出器９３で検出されるバッテリ状態信号は、各列毎に設けられるＲＦＩＤユニット９１に出力される。
【０１０３】
ＲＦＩＤユニット９１は、検出器９３より出力される各バッテリ状態信号及びバッテリの劣化検出信号を取得し、各バッテリ９４毎に識別用のＩＤを付して、監視装置１３ｄに送信する。
【０１０４】
監視装置１３ｄは、電源装置１２ｄに設けられた各ＲＦＩＤユニット８１より送信された劣化状態検出信号及びバッテリ状態信号を受信し、且つ各ＲＦＩＤユニット９１に向けてバッテリ状態の検出開始要求信号を送信するＲＦＩＤ送受信機７１（第２通信部）と、時計回路７４と、ＲＦＩＤ送受信機７１で受信された劣化状態検出信号及びバッテリ状態信号を記憶し、所定の時刻となった際に（例えば、１５分毎に設定した時刻となった際に）各バッテリ９４のＩＤが付された劣化状態検出信号及びバッテリ状態信号を出力するコントローラ７３と、該コントローラ７３より出力された劣化状態検出信号及びバッテリ状態信号を所定の通信フォーマットで送信する送信機７２（送信手段）を備えている。
【０１０５】
また、図２に示すデータセンタ１４は、監視装置１３ｄより送信されるバッテリ状態信号に基づいて、各バッテリ９４の状態を示す情報をディスプレイ５４に表示する。
【０１０６】
次に、上述のように構成された第５実施形態に係るバッテリ監視システムの動作を、図１１に示すフローチャートを参照して説明する。初めに、監視装置１３ｄのコントローラ７３は、内部に設けられる夜間タイマ（図示省略）を作動させ（ステップＳ１０１）、任意のタイミングでポーリングを開始する（ステップＳ１０２）。
【０１０７】
そして、ＲＦＩＤ送受信機７１と、各ＲＦＩＤユニット９１との間で通信が可能となった場合に、ＲＦＩＤ送受信機７１は各ＲＦＩＤユニット９１にバッテリ９４の状態の検出開始要求信号を送信する（ステップＳ１０３）。
【０１０８】
その後、電源装置１２ｄの各ＲＦＩＤ９１は、検出開始要求信号を受けて、各バッテリ９４に対応する検出器９３で検出されるバッテリ状態信号を取得する（ステップＳ１０４）。そして、このバッテリ状態信号に基づいて各バッテリ９４の劣化状態の検出を開始する（ステップＳ１０５）。
【０１０９】
次いで、ＲＦＩＤユニット９１は、検出した劣化状態検出信号及びバッテリ状態信号を、無線通信にて監視装置１３ｄのＲＦＩＤ送受信機７１に送信する（ステップＳ１０６）。
【０１１０】
そして、監視装置１３ｄのＲＦＩＤ送受信機７１では、各ＲＦＩＤユニット９１より送信された劣化状態検出信号、及びバッテリ状態信号を受信して内部メモリ（図示省略）内に記憶し（ステップＳ１０７）、更に、全てのバッテリ９４に対応するＲＦＩＤユニット９１からの劣化状態検出信号、及びバッテリ状態信号が受信されたか否かを判断する（ステップＳ１０８）。例えば、電源装置１２ｄ内に１００個のバッテリ９４が設置されている場合には、１００個の各バッテリ９４に対応するＩＤの劣化状態検出信号、及びバッテリ状態信号が受信されているか否かを確認する。
【０１１１】
そして、全てのバッテリ９４についての劣化状態検出信号、及びバッテリ状態信号が受信されたと判断された場合には（ステップＳ１０８でＹＥＳ）、時計回路７４で認識される現在時刻に基づき、所定の時刻となった場合に、内部メモリに記憶した全ての劣化状態検出信号、及びバッテリ状態信号を送信機７２に転送する。この劣化状態検出信号、及びバッテリ状態信号は、該送信機７２より送信される（ステップＳ１０９）。
【０１１２】
次いで、データセンタ１４の受信機５１は、監視装置１３ｄより送信された劣化状態検出信号、及びバッテリ状態信号を受信し（ステップＳ１１０）、この劣化状態検出信号、及びバッテリ状態信号とこの信号に対応するＩＤに基づいて、各バッテリ９４のＩＤ毎のバッテリ劣化状態、及びバッテリ状態をディスプレイ５４に表示する（ステップＳ１１１）。従って、データセンタ１４に駐在する作業者は、ディスプレイ５４に表示されたバッテリ劣化状態、及びバッテリ状態のデータを見ることにより、複数のバッテリ９４のうち劣化していると判断されたバッテリを認識することができる。
【０１１３】
また、データセンタ１４のコントローラ５２は、劣化の度合いが大きく「要交換」と判断されたバッテリ９４が存在するか否かを判定し（ステップＳ１１２）、交換が必要なバッテリ９４が存在する場合には、警報器５３を作動させて音声、ランプの点灯等により交換が必要なバッテリが存在することを作業者に知らせる（ステップＳ１１３）。こうして、電源装置１２ｄ内に設けられる各バッテリ９４の劣化状態及びバッテリ状態をリアルタイムで検出し、劣化の度合いが大きいと判断されたバッテリが存在する場合には、データセンタ１４で監視している作業者にいち早く知らせることが可能となる。
【０１１４】
このようにして、第５実施形態に係るバッテリ監視システムでは、監視装置１３ｄからバッテリ状態信号の検出開始要求信号が出力された際に、ＲＦＩＤユニット９１による各バッテリ９４の劣化状態の検出が行われ、且つ、バッテリ状態信号の送信が行われる。従って、検出開始要求信号に対して、全てのＲＦＩＤユニット９１より、対応するバッテリ９４の劣化状態検出信号、及びバッテリ状態信号が送信されない場合には、検出開始要求信号を繰り返して送信することにより、全てのバッテリ９４の劣化状態検出信号、及びバッテリ状態信号を得ることができるので、予め設定した時刻において、全てのバッテリ９４の状態を確実に検出することができ、バッテリの状態の検出精度をより一層向上させることができる。
【０１１５】
以上、本発明のバッテリ監視システムを図示の実施形態に基づいて説明したが、本発明はこれに限定されるものではなく、各部の構成は、同様の機能を有する任意の構成のものに置き換えることができる。
【０１１６】
例えば、上述した第１〜第５実施形態では、データセンタ１４にて一つのローカル局のバッテリを監視する例について説明したが、本発明はこれに限定されるものではなく、複数のローカル局より送信される劣化状態検出信号に基づいて、各ローカル局に設置されたバッテリの劣化状態を総括的に監視するように構成することも可能である。
【０１１７】
また、上述した第１〜第５実施形態では、負荷２４として電子看板を例に挙げて説明したが、本発明はこれに限定されるものではなく、屋外用照明、監視カメラ等の他の電気装置とすることも可能である。
【０１１８】
更に、自然エネルギーを利用した発電装置として太陽光パネル２１を用いる例について説明したが、本発明はこれに限定されるものではなく、風力発電、振動を利用した発電等の他の発電装置を用いることも可能である。
【産業上の利用可能性】
【０１１９】
本発明は、自然エネルギーを利用して発電した電力をバッテリに充電して負荷を駆動する電源装置の、バッテリの劣化状態を認識することに利用することができる。
【符号の説明】
【０１２０】
１１  負荷回路
１２，１２ａ，１２ｂ，１２ｃ，１２ｄ  電源装置
１３，１３ａ，１３ｂ，１３ｃ，１３ｄ  監視装置
１４  データセンタ
２１  太陽光パネル
２２  充放電制御回路
２３  インバータ回路
２４  負荷
３１，６１  ＲＦＩＤタグ
３２，６２，８５  劣化判定回路
３３，６３，８３，８６，９３  検出器
３４，６４，８４，８７，９４  バッテリ
４１  ＲＦＩＤ受信機
４２，７２，９５  送信機
４３，５２，７３，９６  コントローラ
４４，７４，９７  時計回路
５１  受信機
５３  警報器
５４  ディスプレイ
７１  ＲＦＩＤ送受信機
８１，９１  ＲＦＩＤユニット
【図１】
2011254651.tif 000003
【図２】
2011254651.tif 000004
【図３】
2011254651.tif 000005
【図４】
2011254651.tif 000006
【図５】
2011254651.tif 000007
【図６】
2011254651.tif 000008
【図７】
2011254651.tif 000009
【図８】
2011254651.tif 000010
【図９】
2011254651.tif 000011
【図１０】
2011254651.tif 000012
【図１１】
2011254651.tif 000013